(57)【特許請求の範囲】
【請求項１】
第１縦部材と第２縦部材と第３縦部材と第１横部材と第２横部材とからなっていて、第１横部材は、その一端部では第１縦部材の下端部と軸支されており、他端部は他端部近傍で第３縦部材に穿設された貫通孔に挿通されており、他端部にはナットが設けられていて、このナットで第１縦部材と第３縦部材の下端部との間隔を調整可能に固定することにより、第１縦部材と第３縦部材との上端部の間隔を拡大して第１縦部材の上端部をコーンの外周面に密接可能となし、第２横部材は、その一端近傍では第２縦部材と軸支されており、他端部は他端部近傍で第３縦部材に穿設された貫通孔に挿通されており、他端部にはナットが設けられていて、このナットで第２縦部材と第３縦部材との下端部の間隔を縮小することにより、第２縦部材と第３縦部材との上端部の間隔を拡大して第１縦部材の上端部に密着させたコーンの凹部に第２縦部材の上端部に密接させたグリッパを押し込むようになしたことを特徴とする撚線緊張保持用治具。
【請求項２】
第１縦部材と第２縦部材と第３縦部材の上端部は、下方から配装しやすいように略Ｕ字状をなしていることを特徴とする請求項１記載の撚線緊張保持用治具。
【請求項３】
第２横部材の一端部はハンマー等で叩き易く突出していることを特徴とする請求項１記載の撚線緊張保持用治具。
【発明の詳細な説明】
【０００１】
【発明の属する技術分野】
本発明は、ボックスカルバート等のコンクリート構造物等を適度の圧縮力をもってＰＣ撚線等により連結する際に、ＰＣ撚線等に適度の緊張力を保持するためにグリッパにてＰＣ撚線等を固定するときに使用する撚線緊張保持用治具に関するものである。
【０００２】
【従来の技術】
ボックスカルバート等のコンクリート構造物等を適度の圧縮力をもってＰＣ撚線等により連結する工事が広く採用されているが、コンクリート構造物等を連結するには、図１１，１２に示すように、先ず連結しようとする２以上のコンクリート構造物等１，２，３を設置し、コンクリート構造物等１，２，３に穿設された貫通孔（シース穴）４にＰＣ撚線等５を挿通し、固定側コンクリート構造物１の中央部に設けたジョイントカップ（空間部）６においてＰＣ撚線等５の一端に座金、コーン、グリッパを挿通し、コーンにグリッパをハンマーとタガネで叩き込んでコーンとグリッパ（両者で緊締具を構成している）とを固定するとともに、ＰＣ撚線等５をグリッパで押圧、固定する。
【０００３】
次に、引張側コンクリート構造物等３の外部Ａ部に油圧ジャッキを配設し、油圧ジャッキにＰＣ撚線等５を固定し、ＰＣ撚線等５に規定の緊張力を加える。緊張力が継続している間に、引張側コンクリート構造物３のジョイントカップ（空間部）Ｃ部に予め挿通してあった座金、コーン、グリッパのうちのグリッパをハンマーとタガネを使用してたたき込み固定することにより、ＰＣ撚線等５に緊張力を保持した状態でコンクリート構造物等１，２，３を連結していた。
【０００４】
【発明が解決しようとする課題】
しかしながら、コンクリート構造物のジョイントカップ（空間部）６の狭い開口部において、１箇所で複数のグリッパを打ち込むことが必要となるが、狭いため、タガネの面とグリッパの頭部の面とを同一面とすることができず、グリッパの頭部の面に対してタガネを斜め方向からでは、うまく打ち込むことができないため、熟練と時間を要する手間のかかる作業であった。
【０００５】
また、座金には、通常、グラウトもれ止め用のパッキンが貼られているので、コーンにグリッパを打ち込むとき、グリッパをハンマーでたたくと、パッキンがクッションの役目をしてしまい、コーンにグリッパを効率良く打ち込むことができなかった。
【０００６】
本発明は、ＰＣ撚線の緊締具の結合に際してグリッパをコーンに効率良く均等に押圧、嵌入することができる撚線緊張保持用治具を提供することを目的とするものである。
【０００７】
【課題を解決するための手段】
本発明は、かかる目的を達成するものであって、請求項１記載の発明は、第１縦部材と第２縦部材と第３縦部材と第１横部材と第２横部材とからなっていて、第１横部材は、その一端部では第１縦部材の下端部と軸支されており、他端部は他端部近傍で第３縦部材に穿設された貫通孔に挿通されており、他端部にはナットが設けられていて、このナットで第１縦部材と第３縦部材の下端部との間隔を調整可能に固定することにより、第１縦部材と第３縦部材との上端部の間隔を拡大して第１縦部材の上端部をコーンの外周面に密接可能となし、第２横部材は、その一端近傍では第２縦部材と軸支されており、他端部は他端部近傍で第３縦部材に穿設された貫通孔に挿通されており、他端部にはナットが設けられていて、このナットで第２縦部材と第３縦部材との上端部の間隔を拡大して第１縦部材の上端部に密着させたコーンの凹部に第２縦部材の上端部に密接させたグリッパを押し込むようになしたことを特徴とする撚線緊張保持用治具である。
【０００８】
請求項２記載の発明は、第１縦部材と第２縦部材と第３縦部材の上端部は、下方から配装しやすいように略Ｕ字状をなしていることを特徴とする請求項１記載の撚線緊張保持用治具である。
【０００９】
請求項３記載の発明は、第２横部材の一端部はハンマー等で叩き易く突出していることを特徴とする請求項１記載の撚線緊張保持用治具である。
【００１０】
【発明の実施の形態】
以下、本発明を図示の実施例に従って詳細に説明する。
【００１１】
図１〜図４において、１０は本発明の撚線緊張保持用治具であり、該撚線緊張保持用治具１０は、第１縦部材１１と第２縦部材１２と第３縦部材１３と第１横部材２１と第２横部材２２とから主としてなるものである。
【００１２】
第１縦部材１１の上端部は、コーン３２の外周に下方から嵌合し得る形状、例えばＵ字状をなしており、下端部は、第１横部材２１の左端と軸支されている。さらに第１縦部材１１は略中央部において第３縦部材１３方向に突出する突出横部材１２１を備えていて、その一端が第３縦部材１３の略中央部に軸支されている。
【００１３】
第２縦部材１２の上端部は、ＰＣ撚線５を下方から包囲し、かつグリッパ３１に当接し得る形状であって、Ｕ字状をなしており、略中央部は第１縦部材１１と軸支されており、下端部は第２横部材２２の左端近傍に軸支されている。
【００１４】
第３縦部材１３の上端部は、ＰＣ撚線５を下方から包囲し、かつジョイントカップ６に当接し得る形状であって、Ｕ字状をなしており、略中央部は第１縦部材１１の突出横部材１２１と軸支されており、下端部には第１横部材２１と第２横部材２２とを嵌挿し得る貫通孔が穿設され、第１横部材２１と第２横部材２２とが嵌挿されている。
【００１５】
第１横部材２１は、前述のように左端部で第１縦部材１１と軸支されており、右端部近傍では第３縦部材１３の貫通孔に挿通されており、他端部にはナットが設けられていて、このナット２１１で第１縦部材１１と第３縦部材１３との下端部の間隔を調整可能となされている。
【００１６】
第２横部材２２は、左端近傍で第２縦部材１２と軸支されており、右端部近傍では第３縦部材１３の貫通孔に挿通されており、他端部にはナットが設けられていて、このナット２２１で第２縦部材１２と第３縦部材１３との下端部の間隔を調整可能となされている。なお、第２横部材２２の左端はハンマー等で叩き易いように突出部２２２が形成されている。
【００１７】
本発明の撚線緊張保持用治具１０は、上述の構造をしているので、図５に示すＰＣ撚線５が挿通されたジョイントカップ６内に図６に示すように下方から挿入して第１縦部材１１の上端部がコーン３２の外周に嵌合し、第２縦部材１２と第３縦部材１３の上端部がＰＣ撚線５の外周を包囲するように配置して、下記の操作手段によりコーン３２の凹部にグリッパ３１を押し込むことができる。
【００１８】
以下、操作手段を説明する。
図７に示すように、第１横部材２１のナット２１１を締めつけることにより、第１縦部材１１と第３縦部材１３の下端部の間隔は狭まり、中央部の間隔が固定されているため、上端部の間隔は広がり、第１縦部材１１の上端部はコーン３２に密着され、座金３３、パッキン３４とともにジョイントカップ６に押圧される一方、第３縦部材１３の上端部はジョイントカップ６に押圧される。
【００１９】
この状態で図１１のＡの位置に配設した油圧ジャッキにてＰＣ撚線５を緊張させ、第２横部材２２のナット２２１を締めつけることにより、第２縦部材１２と第３縦部材１３の下端部の間隔は狭まり、上端部の間隔が広がり、第２縦部材１２の上端部はグリッパ３１を押圧して、コーン３２内に押入することができる。なお、コーン３２は、グリッパ３１との接触箇所において例えば円錐形状をなしており、グリッパ３１も略同形をなしていて、コーン３２に押入することにより、縮小することにより内部に挿通したＰＣ撚線５を固定することができるものである。
【００２０】
図８に示すように、第２横部材２２の左端２２２をハンマー等で叩くと、グリッパ３１の押入量を増大させることが可能である。この際、第２横部材２２のナット２２１にゆるみが生じる場合には図９に示すように、ナット２２１を締めつけて叩く操作を繰り返すことにより、グリッパ３１の押入量を最大限にすることができる。図１０に示すように、グリッパ３１の押入が終了すると、ナット２１１、２２１をゆるめ、本発明の撚線緊張保持用治具１０を取り外す。
【００２１】
【発明の効果】
本発明の撚線緊張保持用治具を用いることにより、ＰＣ撚線の緊締具の結合に際してグリッパをコーンに押圧力を偏ることなく中心軸に沿ってかけることが可能であり、効率良く均等に押圧、嵌入することができる。
【図面の簡単な説明】
【図１】  本発明の撚線緊張保持用治具の一例の使用状態を示す正面図であって、図１１のＣ部の拡大図に相当する。
【図２】  図１の撚線緊張保持用治具の左側面図である。
【図３】  図１の撚線緊張保持用治具の右側面図である。
【図４】  図１の撚線緊張保持用治具の平面図である。
【図５】  図１の撚線緊張保持用治具の使用前の状態を示す説明図である。
【図６】  図１の撚線緊張保持用治具の使用状態を示す説明図である。
【図７】  図１の撚線緊張保持用治具の使用状態を示す説明図である。
【図８】  図１の撚線緊張保持用治具の使用状態を示す説明図である。
【図９】  図１の撚線緊張保持用治具の使用状態を示す説明図である。
【図１０】  図１の撚線緊張保持用治具の使用状態を示す説明図である。
【図１１】  本発明及び従来の施工法の説明図である。
【図１２】  図１１の説明図を側面から見た説明図である。
【符号の説明】
１，２，３：コンクリート構造物等
４：貫通孔（シース穴）
５：ＰＣ撚線等
６：ジョイントカップ（空間部）
１０：撚線緊張保持用治具
１１：第１縦部材
１２：第２縦部材
１２１：突出横部材
１３：第３縦部材
２１：第１横部材
２１１：ナット
２２：第２横部材
２２１：ナット
２２２：突出部
３１：グリッパ
３２：コーン
３３：座金
３４：パッキン
【図１】
0003701637.tif 000002
【図２】
0003701637.tif 000003
【図３】
0003701637.tif 000004
【図４】
0003701637.tif 000005
【図５】
0003701637.tif 000006
【図６】
0003701637.tif 000007
【図７】
0003701637.tif 000008
【図８】
0003701637.tif 000009
【図９】
0003701637.tif 000010
【図１０】
0003701637.tif 000011
【図１１】
0003701637.tif 000012
【図１２】
0003701637.tif 000013